(57)【要約】【課題】、ユーザの番組予約整理を容易にするとともに、適切な予約番組表を提示することが可能な録画予約装置および録画予約方法を提供する。【解決手段】制御手段１３と、制御手段１３に制御されて所定の番組を選択して受信する受信手段１６と、定期的な番組録画の予約情報を記憶可能な番組予約記憶手段１４と、を備え、制御手段１３は、番組予約記憶手段１４に記憶された定期的な番組録画がされたか否かを判断する録画判定手段１３Ａと、録画判定手段１３Ａによって定期的な番組録画がされなかったと判断された場合に、その番組が録画されなかった回数をカウントするカウント手段１３Ｂと、カウント手段１３Ｂによってカウントされた回数を予約情報とともに表示手段に表示させる表示制御手段１３Ｃと、を有する録画予約装置。【選択図】図１
2008278254.tif 000002
【特許請求の範囲】
【請求項１】
制御手段と、
前記制御手段に制御されて所定の番組を選択して受信する受信手段と、
定期的な番組録画の予約情報を記憶可能な番組予約記憶手段と、を備え、
前記制御手段は、前記番組予約記憶手段に記憶された前記定期的な番組録画がされたか否かを判断する録画判定手段と、
前記録画判定手段によって前記定期的な番組録画がされなかったと判断された場合に、その番組が録画されなかった回数をカウントするカウント手段と、
前記カウント手段によってカウントされた回数を前記予約情報とともに表示手段に表示させる表示制御手段と、を有する録画予約装置。
【請求項２】
前記予約情報はその番組が録画されなかった回数を含み、
前記制御手段は、前記録画判定手段によって前記定期的な番組録画がされなかったと判断された場合に、前記カウント手段によってカウントされた回数を前記番組予約記憶手段に記憶させる予約情報書換手段をさらに有する請求項１記載の録画予約装置。
【請求項３】
前記表示手段をさらに有する請求項１記載の録画予約装置。
【請求項４】
前記表示手段は、ＯＳＤ情報を生成するＯＳＤ生成部を有し、
前記制御手段は、前記カウント手段によってカウントされた回数を前記表示手段に表示させるために前記ＯＳＤ情報を書換えさせるＯＳＤ情報書換手段をさらに有する請求項３記載の録画予約装置。
【請求項５】
前記表示制御部は、前記録画判定手段によって前記定期的な番組録画がされなかったと判断された場合に、予約時刻に実際に放送された番組名を電子番組表情報より取得して前記表示手段に表示させる番組名表示手段を有する請求項１記載の録画予約装置。
【請求項６】
前記表示制御手段は、前記録画判定手段によって前記定期的な番組録画がされなかったと判断された場合に、前記カウント手段によってカウントされた回数とともに、録画されなかった理由を表示させる理由表示手段を有する請求項１記載の録画予約装置。
【請求項７】
前記表示制御手段は、前記カウント手段によってカウントされた回数によって前記予約情報を区別可能となるように前記表示手段に前記予約情報を表示させる手段である請求項１記載の録画予約装置。
【請求項８】
前記制御手段は、前記定期的な番組録画の予約が所定回行われなかった場合に番組終了と判断し、予約情報を削除する手段をさらに有する請求項１記載の録画予約装置。
【請求項９】
前記録画判定手段は、前記定期的な番組録画の予約開始設定時刻から所定時間後あるいは所定時間前の時点を経過したか否かを判断し、予約開始設定時刻から所定時間後あるいは所定時間前の時点を経過したと判断された場合に番組録画が行われた否かを判断する手段である請求項１記載の録画予約装置。
【請求項１０】
前記録画判定手段は、前記定期的な番組録画の予約終了設定時刻から所定時間後あるいは所定時間前の時点を経過したか否かを判断し、予約終了設定時刻から所定時間後あるいは所定時間前の時点を経過したと判断された場合に番組録画が行われたか否かを判断する手段である請求項１記載の録画予約装置。
【請求項１１】
前記録画判定手段は、前記定期的な番組録画が開始されたか否か、又は、終了したか否かによって番組録画が行われたか否かを判断する手段である請求項１記載の録画予約装置。
【請求項１２】
番組記憶手段に記憶された定期的な番組録画がされたか否かを判断する録画判定ステップと、
前記定期的な番組録画がされなかったと判断された場合に、前記予約情報とともにその番組が録画されなかった回数をカウントするカウントステップと、
前記カウントステップにおいてカウントされた回数を表示手段に表示させる表示制御ステップと、を有する録画予約方法。
【発明の詳細な説明】
【技術分野】
【０００１】
本発明は、録画予約装置および録画予約方法に関し、特に複数の番組録画の予約が可能な録画予約装置および録画予約方法に関する。
【背景技術】
【０００２】
一般に、録画予約装置は、番組データを受信する受信手段と、番組録画の予約を記憶可能な番組予約記憶手段と、受信した番組データが記録される記録媒体と、これらを制御する制御手段と、を有している。
【０００３】
番組予約記憶手段には、複数の番組予約情報が記憶可能であって、定期的に放送される番組を毎回録画するように録画予約が可能なものも提案されている。従来、シリ−ズ番組の検索および予約録画が簡単に行えるようにした番組表搭載デジタル放送受信機が提案されている（特許文献１参照）。
【特許文献１】特開２００６−１１５２２８号公報
【発明の開示】
【発明が解決しようとする課題】
【０００４】
しかし、上記のデジタル放送受信機でシリーズ番組を予約すると、シリーズ番組が最終回を迎えても録画予約が消去されず、録画予約表に残ってしまう場合があった。その場合には、ユーザが手動で予約を消去する必要があるが、その際には消去しても良い録画予約を判断するために過去や次週の放送予定などを確認しなければならず、予約消去の手間がかかる場合があった。
【０００５】
本発明は上記の問題点に鑑みて成されたものであって、ユーザの番組予約整理を容易にするとともに、適切な予約番組表を提示することが可能な録画予約装置および録画予約方法を提供することを目的とする。
【課題を解決するための手段】
【０００６】
本発明の第１態様に係る録画予約装置は、制御手段と、前記制御手段に制御されて所定の番組を選択して受信する受信手段と、定期的な番組録画の予約情報を記憶可能な番組予約記憶手段と、を備え、前記制御手段は、前記番組予約記憶手段に記憶された前記定期的な番組録画がされたか否かを判断する録画判定手段と、前記録画判定手段によって前記定期的な番組録画がされなかったと判断された場合に、前記予約情報とともにその番組が録画されなかった回数を記憶させる回数記憶手段と、前記記憶手段に記憶された回数を表示手段に表示させる表示制御手段と、を有する。
【０００７】
本発明の第２態様係る録画予約方法は、番組予約記憶手段に記憶された定期的な番組録画がされたか否かを判断する録画判定ステップと、前記定期的な番組録画がされなかったと判断された場合に、前記予約情報とともにその番組が録画されなかった回数を前記番組予約記憶手段に記憶させる回数記憶ステップと、前記回数記憶ステップにおいて記憶された回数を表示手段に表示させる表示制御ステップと、を有する。
【発明の効果】
【０００８】
本発明によれば、ユーザの番組予約整理を容易にするとともに、適切な予約番組表を提示することが可能な録画予約装置および録画予約方法を提供することができる。
【発明を実施するための最良の形態】
【０００９】
以下に、本発明の第１実施形態に係る録画予約装置および録画予約方法について図面を参照して説明する。図１に示すように、本実施形態に係る録画予約装置は、チューナー１６と、チューナー１６から出力された信号を映像信号にデコードするデコード部１７と、定期的な番組録画の予約を記憶可能な番組予約記憶部１４と、これらを制御するマイコン１３と、受信した番組データが記録される記録媒体Ｍとを有している。
【００１０】
チューナー１６は、所定の電波を選択してアンテナ１１から受信する。チューナー１６は、アンテナ１１から受信した電波を所定の周波数の信号に変換してマイコン１３およびデコード部１７に出力する。
【００１１】
デコード部１７では、チューナー１６から受信した信号を映像信号に変換する。デコード部１７から出力された映像信号は、ＯＳＤ生成部１５から出力された信号と結合されて画面表示回路１８に入力される。ＯＳＤ生成部１５は、例えばリモコン１２からマイコン１３にユーザからの画面表示要求が入力されると、マイコン１３によって制御されて例えば文字表示信号や画像表示信号を生成し、これらの信号を出力する。
【００１２】
画面表示回路１８では、デコード部１７及びＯＳＤ生成部１５から受信した例えば文字表示信号や画像表示信号をディスプレイ１９の表示に適応した信号に変換する。したがって、ディスプレイ１９には、画面表示回路１８の出力信号を受信して、例えばテレビ番組等のアンテナ１１から受信した信号と、ＯＳＤ生成部１５によって生成された文字表示信号等とが結合されて表示される。
【００１３】
番組予約記憶部１４には、例えばリモコン１２によってマイコン１３に対して成された番組予約要求にしたがって、番組予約情報が記憶される。例えば、録画予約の設定を行う場合には、マイコン１３は、ＥＰＧ処理部１０から番組表を取得して、この番組表をディスプレイ１９に提示して行っても良い。
【００１４】
定期的に放送されるような番組を予約する場合には、この番組予約情報には、例えば、毎週放送される曜日、番組開始時間、番組終了時間、チャンネル等の識別情報が記憶される。
【００１５】
マイコン１３は、番組予約記憶部１４に記憶された番組予約情報に基づいて、チューナー１６に所定の電波を受信させて、チューナー１６から予約された番組に対応した信号を受信し、受信した信号を記録媒体Ｍに記録する。
【００１６】
マイコン１３は、例えばリモコン１２の操作によって、ユーザから予約番組表表示要求が成されると、従来は、ＯＳＤ生成部１５を制御して、例えば図１６に示すような予約番組表を表示させていた。しかし、図１６に示すように、予約された番組を並べて表示すると、例えば、最終回が放送された番組がその中に含まれていたとしても、ユーザがその番組を判別することが困難であった。
【００１７】
そこで、本実施形態に係る録画予約装置では、マイコン１３は、定期的な番組予約が所定回以上行われなかった場合に、ユーザにその番組の最終回が放送された可能性があることを知らせる手段を有している。
【００１８】
すなわち、マイコン１３は、番組予約記憶部１４に記憶された定期的な番組の録画がされたか否かを判断する録画判定部１３Ａを有している。録画判定部１３Ａは、番組予約記憶部１４に記憶された番組予約情報に従って、予約時刻から所定時間後に録画が行われた否かを判断する。
【００１９】
マイコン１３は、録画判定部１３Ａによって予約された番組の録画がされなかったと判断された場合に、その番組が録画されなかった回数をカウントするカウント部１３Ｂと、カウント部１３Ｂによってカウントされた回数が所定回以上である場合に、ユーザにその番組の最終回が終了した可能性があることを知らせるためにディスプレイ１９に番組の録画がされなかった回数を表示させる表示制御部１３Ｃと、カウント部１３Ｂによって番組が録画されなかった回数が更新された場合に、表示制御部１３Ｃによって制御されてＯＳＤ生成部１５によって生成されるＯＳＤ情報を書き換えるＯＳＤ情報書換部１３Ｄと、を有している。
【００２０】
すなわち、ＯＳＤ生成部１５では、表示制御部１３Ｃによって制御されて、例えば図１７に示すようにＯＳＤ情報が生成される。番組予約情報には、その番組が録画されなかった回数が含まれ、図１７に示す場合では、ディスプレイ１９に番組予約情報として、予約された番組が放送される曜日、放送される時間、番組名が表示されているとともに、各番組予約情報に対応した録画されなかった回数が表示されている。例えば、ドラマＬが録画されなかった回数として３と表示され、ドラマＭが録画されなかった回数として１と表示されている。
【００２１】
このとき、表示制御部１３は、例えば録画がされなかった番組について、録画がされなかった理由と予約設定時刻に実際に放送された番組名とをＥＰＧ処理部から取得し、図１８あるいは図１９に示すように番組予約情報とともに表示させても良い。
【００２２】
上記のように、定期的に放送される番組が録画されなかった回数等をディスプレイに表示させて、ユーザに番組の最終回が終了した可能性があることを知らせることによって、ユーザの予約情報の整理が容易となるため適切な予約情報を提示することが可能な録画予約装置を提供することができる。
【００２３】
なお、デジタル放送の信号を受信する場合には、アンテナ１１から時間情報を取得することができるためタイマは必要ないが、アナログ放送を受信する場合には、図２０に示すように、マイコン１３に接続されたタイマＴＭが必要となる。
【００２４】
上記の録画予約装置の動作について図面を参照して以下に説明する。図２に示すように、マイコン１３は、定期的に放送される予約番組について、その番組の最終回が放送された可能性をディスプレイ１９に表示させる。すなわち、処理をスタートさせると（２０）、カウント部１３Ｂで最初に番組の録画が開始されなかった回数の初期値を設定する（２１）。図２に示す場合では、番組の録画が開始されなかった回数Ｎの初期値としてゼロ回と設定している。
【００２５】
マイコン１３の録画判定部１３Ａは、予約時刻から所定時間が経過したと判断した場合には（２２）、さらに予約された番組の録画が開始されたか否かを判断する（２３）。図２に示す場合では、予約時刻から２時間経過したと判断された際に、予約録画が開始されたか否かを判断している。
【００２６】
このとき、録画判定部１３Ａによって録画が開始されたと判断されると（２３）、次の予約時刻から所定時間経過したと判断された際に（２２）、予約された番組の録画が開始されたか否かを判断する（２３）。
【００２７】
録画判定部１３Ａによって録画が開始されていないと判断されると、カウント部１３Ｂは、番組の録画が開始されなかった回数Ｎに１を加算する（２４）。録画判定部１３Ａは、加算後の録画されなかった回数Ｎが所定回（Ｐ回）以上であるか否かを判断する（２５）。ここで、録画されなかった回数の閾値となるＰの値は、あらかじめ設定されている値でも良く、ユーザによって設定可能な値であっても良い。
【００２８】
録画されなかった回数Ｎが所定回（Ｐ回）よりも少ない場合には、次の予約時刻から所定時間経過したと判断された際に（２２）、予約された番組の録画が開始されたか否かを判断する（２３）。
【００２９】
録画されなかった回数が所定回（Ｐ回）以上である場合には、ＯＳＤ情報書換部１３Ｄは表示制御部１３Ｃに制御されて、その番組の最終回が終了した可能性があることをユーザに知らせるために、ＯＳＤ生成部１５に最終回終了の可能性を告知するＯＳＤ情報の書き換えを行わせる（２６）。ＯＳＤ生成部１５は、例えば図１７に示す場合では、番組が録画されなかった回数が更新されるようにＯＳＤ情報を書き換える。
【００３０】
表示生成部１３Ｃは、ＯＳＤ生成部１５を制御して、例えば、一つの予約情報について予約情報とその番組が録画されなかった回数を表示させるＯＳＤ情報を生成させて、ユーザに最終回終了の可能性を告知しても良く、図１７に示すように複数の予約情報についての予約情報と録画されなかった回数とを表示させて最終回終了の可能性を告知しても良い。
【００３１】
さらに、図１７に示すように複数の予約情報について最終回終了の可能性をユーザに告知する表示をさせる場合には、例えば、番組が録画されなかった回数ごとに異なる色で予約情報を表示したり、所定回数以上録画されなかった番組について録画されなかった回数にエクスクラメーションマークを表示したりする方法によって、最終回終了の可能性が高い番組と可能性が低い番組とを容易に区別できるようにしても良い。
【００３２】
さらに、表示制御部１３Ｃは、予約された番組名が放送されなかった理由や、予約番組の放送時刻に実際に放送された番組名をＥＰＧ処理部１０から取得して、取得した情報を図１８あるいは図１９に示すように予約番組情報とともに表示させるようにＯＳＤ生成部１５を制御しても良い。
【００３３】
上記のように、ＯＳＤ情報を書き換えると、所定回数以上録画されなかった番組について最終回終了の可能性をユーザに告知する表示をさせることができる。図１６に示す従来の録画予約表表示と、図１７に示す録画予約表表示とを比べると明らかなように、上記のように最終回終了の可能性を表示させることによって、ユーザはディスプレイ１９に表示された情報から、予約を消去するか否かを容易に判断することができる。
【００３４】
ユーザから予約を消去しない要求を受信すると（２７）、録画判定部１３Ａは次の予約時刻から所定時間経過したと判断した際に（２２）、予約された番組の録画が開始されたか否かを判断する（２３）。
【００３５】
ユーザから予約を消去する要求を受信すると（２７）、マイコン１３は、予約番組の消去候補を消去ホルダに移動させる（２８）。したがって、例えば、ユーザによるリモコン１２操作によって、予約番組表の表示が要求された場合には、すでに終了した番組の予約情報が含まれない適切な予約番組表を表示することが可能となる。
【００３６】
上記のように、定期的に放送される予約番組について、その最終回終了の可能性をユーザに告知する表示をさせることによって、ユーザはその番組の最終回が終了したのか否かを容易に判断することができる。従って、本実施形態に係る録画予約装置および録画予約方法によれば、ユーザの番組予約整理を容易にするとともに、適切な予約番組表を提示することが可能な録画予約装置および録画予約方法を提供することができる。
【００３７】
次に、本発明の第２実施形態に係る録画予約装置および録画予約方法について図面を参照して以下に説明する。なお、以下の説明において、上述の第１実施形態に係る録画予約装置の構成と同様である部分については、同一の符号を付して説明を省略する。
【００３８】
本実施形態に係る録画予約装置では、マイコン１３は、上述の第１実施形態に係る録画予約装置と同様に、録画判定部１３Ａを有している。本実施形態に係る録画予約装置のマイコン１３は、録画判定部１３Ａによって、定期的に放送される番組の録画が開始されなかったと判断されると、録画が開始されなかった回数Ｎが１回であっても、表示制御部１３Ｃがユーザにその番組の最終回が終了した可能性を告知する表示をさせる。
【００３９】
すなわち、本実施形態に係る録画予約装置の動作は、図３に示すように、カウント部１３Ｂは、最初に、番組の録画されなかった回数の初期値を設定する（３１）。図３に示す場合では、番組の録画されなかった回数Ｎの初期値としてゼロ回と設定している。
【００４０】
マイコン１３の録画判定部１３Ａは、予約時刻から所定時間が経過したと判断した場合には（３２）、さらに予約された録画が開始されたか否かを判断する（３３）。図３に示す場合では、予約時刻から２時間経過した際に、予約録画が開始されたか否かを判断している。
【００４１】
このとき、録画判定部１３Ａによって、予約された番組の録画が開始されたと判断されると次の予約時刻から所定時間経過したと判断された際に（３２）、予約された番組の録画が開始されたか否かを判断する（３３）。
【００４２】
録画判定部１３Ａによって録画が開始されていないと判断されると、カウント部１３Ｂ、予約された番組の録画が開始されなかった回数Ｎに１を加算する（３４）。カウント部１３Ｂによって録画が開始されなかった回数Ｎが加算されると、ＯＳＤ情報書換部１３Ｄは表示制御部１３Ｃによって制御されて、その番組の最終回が終了した可能性があることをユーザに知らせるために、ＯＳＤ生成部１５に最終回終了の可能性を告知するＯＳＤ情報の書き換えを行わせる（３５）。ＯＳＤ生成部１５は、例えば図１６に示す場合では、番組が録画されなかった回数Ｎが更新されるようにＯＳＤ情報を書き換える。
【００４３】
ユーザから予約を消去しない要求を受信すると（３６）、録画判定部１３Ａは、次の予約時刻から所定時間経過したと判断された際に（３２）、予約された番組の録画が開始されたか否かを判断する（３３）。ユーザから予約を消去する要求を受信すると（３６）、マイコン１３は、予約番組の消去候補を消去ホルダに移動させる（３７）。
【００４４】
上記のように、定期的に放送される予約番組が１回でも録画されなかった場合であっても、その最終回終了の可能性をユーザに告知する表示をさせることによって、ユーザはその番組の最終回が終了したのか否かを容易に判断することができる。従って、本実施形態に係る録画予約装置および録画予約方法によれば、上述の第１実施形態に係る録画予約装置と同様の効果を得ることができる。特に、本実施形態に係る予約録画装置および録画予約方法によれば、予約番組表を適切な状態とするために頻繁に更新することが可能となる。
【００４５】
次に、本発明の第３実施形態に係る録画予約装置および録画予約方法について図面を参照して以下に説明する。本実施形態に係る録画予約装置のマイコン１３は、上述の第１実施形態に係る録画予約装置と同様に録画判定部１４を有しているとともに、カウント部１３Ｂによって予約された番組の録画がされなかった回数が更新されると、番組予約記憶部１４に記憶された番組予約情報を書き換える予約情報書換部１３Ｅをさらに有している。以下の説明において、本実施形態に係る録画再生装置と同様の構成については、同一の符号を付して説明を省略する。
【００４６】
すなわち、本実施形態に係る録画予約装置の動作は、図５に示すように、カウント部１３Ｂは、最初に、番組の録画されなかった回数Ｎの初期値を設定する（４１）。図５に示す場合では、番組の録画されなかった回数Ｎの初期値としてゼロ回と設定している。
【００４７】
マイコン１３の録画判定部１３Ａは、予約時刻から所定時間が経過したと判断した場合には（４２）、さらに予約された番組の録画が開始されたか否かを判断する（４３）。図５に示す場合では、予約時刻から２時間経過したと判断された際に、予約録画が開始されたか否かを判断している。
【００４８】
このとき、録画判定部１３Ａによって予約録画が開始されたと判断されると（４３）、次に予約時刻から所定時間経過したと判断された際に（４２）、予約された番組の録画が開始されたか否かを判断する（４３）。
【００４９】
録画判定部１３Ａによって予約録画が開始されていないと判断されると（４３）、カウント部１３Ｂは、予約された番組の録画が開始されなかった回数Ｎに１を加算する（４４）。カウント部１３Ｂによって、予約された番組が録画されなかった回数Ｎの値が更新されると、予約情報書換部１３Ｅが番組予約記憶部１４に記憶された番組予約情報を書換える（４５）。
【００５０】
すなわち、本実施形態に係る録画予約装置では、予約情報書換部１３Ｅは、番組予約記憶部１４に記憶された番組予約情報に含まれる番組が録画されなかった回数Ｎに１を加算されるように番組予約情報を書換える。
【００５１】
予約情報書換部１３Ｅによって番組予約情報を書換えられると、録画予約番組表の表示要求を受信するまでは、録画判定部１３Ａにおいて、定期的に放送される予約番組の録画が開始されたか否かの判定をおこなう。
【００５２】
マイコン１３が、録画予約表の表示要求を受信すると（４６）、表示制御部１３ＣはＯＳＤ生成部１５を制御して、番組予約記憶部１４に記憶された番組予約情報をもとに、例えば図１７乃至図１９に示すような録画予約番組表をディスプレイ１９に表示させて（４７）、ユーザに最終回終了の可能性を告知する。
【００５３】
上記のように、定期的に放送される予約番組について、その最終回終了の可能性をユーザに告知する表示をさせることによって、ユーザはその番組の最終回が終了したのか否かを容易に判断することができる。従って、本実施形態に係る録画予約装置および録画予約方法によれば、上述の第１実施形態に係る録画予約装置および録画予約方法と同様の効果を得ることができる。
【００５４】
次に、本発明の第４実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【００５５】
本実施形態に係る録画予約装置では、録画判定部１３Ａは、設定された予約開始時刻から所定時間経過したと判断された時点で予約録画が開始されたか否かを判定する。
【００５６】
すなわち、本実施形態に係る録画予約装置の動作は、図６に示すように、カウント部１３Ｂは、最初に、予約された番組の録画が開始されなかった回数Ｎの初期値を設定する（５１）。図６に示す場合では、番組の録画が開始されなかった回数Ｎの初期値としてゼロ回と設定している。
【００５７】
マイコン１３の録画判定部１３Ａは、予約開始時刻から所定時間が経過したと判断した場合には（５２）、さらに予約された番組の録画が開始されたか否かを判断する（５３）。図６に示す場合では、予約開始時刻から２時間経過した際に、予約録画が開始されたか否かを判断している。
【００５８】
このとき、録画判定部１３Ａによって予約録画が開始されていないと判断されると（５３）、カウント部１３Ｂは、番組の録画が開始されなかった回数に１を加算する（５４）。カウント部１３Ｂによって番組の録画が開始されなかった回数が更新されると、予約情報書換部１３Ｅによって番組予約記憶部１４の番組予約情報が書き換えられる（５５）。
【００５９】
録画判定部１３Ａによって、予約された番組の録画が開始されたと判断されると（５３）、録画判定部１３Ａは、次に予約開始時刻から所定時間経過したと判断された際に（５２）、予約された番組の録画が開始されたか否かを判断する（５３）。
【００６０】
予約情報書換部１３Ｅによって番組予約情報が書き換えられると、録画判定部１３Ａは、録画予約番組表の表示要求を受信するまでは、定期的に放送される予約番組の録画が開始されたか否かの判定をおこなう。
【００６１】
マイコン１３が、録画予約表の表示要求を受信すると（５６）、表示制御部１３ＣはＯＳＤ生成部１５を制御して、番組予約記憶部１４に記憶された番組予約情報をもとにＯＳＤ情報を生成させ、例えば、図１７乃至図１９に示すような録画予約表をディスプレイ１９に表示させて（５７）、ユーザに最終回終了の可能性を告知する。
【００６２】
上記のように、定期的に放送される予約番組について、その予約開始時刻から所定時間経過したと判断された際に、録画が開始されたか否かを判断しても上述の第１実施形態に係る録画予約装置および録画予約方法と同様の効果を得ることができる。
【００６３】
次に、本発明の第５実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【００６４】
本実施形態に係る録画予約装置では、録画判定部１３Ａは、設定された予約開始時刻から所定時間経過したと判断された時点で、予約録画が終了したか否かを判定する。
【００６５】
すなわち、本実施形態に係る録画予約装置の動作は、図７に示すように、カウント部１３Ｂは、最初に、番組の録画が終了されなかった回数Ｎの初期値を設定する（６１）。図７に示す場合では、番組の録画が終了されなかった回数Ｎの初期値としてゼロ回と設定している。
【００６６】
録画判定部１３Ａは、予約開始時刻から所定時間が経過したと判断した場合には（６２）、さらに予約された録画が終了したか否かを判断する（６３）。図７に示す場合では、予約開始時刻から２時間経過したと判断された際に、予約録画が終了したか否かを判断している。
【００６７】
このとき、録画判定部１３Ａによって録画が終了していないと判断されると（６３）、予約情報書換部１３Ｅは、番組の録画が終了されなかった回数Ｎに１を加算し（６４）、番組予約記憶部１４の予約情報を書換える（６５）。
【００６８】
録画判定部１３Ａによって録画された番組の録画が終了したと判断されると（６３）、次に予約開始時刻から所定時間経過したと判断され際に（６２）、予約された番組の録画が終了したか否かを判断する（６３）。
【００６９】
予約情報書換部１３Ｅによって番組予約情報が書換えられると、録画予約番組表の表示要求を受信するまでは、録画判定部１３Ａは上記のように定期的に放送される予約番組の録画が終了されたか否かの判定をおこなう。
【００７０】
マイコン１３が、録画予約表の表示要求を受信すると（６６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（６７）、ユーザに最終回終了の可能性を告知する。
【００７１】
上記のように、定期的に放送される予約番組について、その予約開始時刻から所定時間経過したと判断された際に、録画が終了したか否かを判断しても上述の第１実施形態に係る録画予約装置および録画予約方法と同様の効果を得ることができる。
【００７２】
次に、本発明の第６実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【００７３】
本実施形態に係る録画予約装置では、録画判定部１３Ａは、設定された予約終了時刻から所定時間経過したと判断された際に、予約録画が開始されたか否かを判定する。
【００７４】
すなわち、本実施形態に係る録画予約装置の動作は、図８に示すように、カウント部１３Ｂは、最初に、番組の録画が開始されなかった回数Ｎの初期値を設定する（７１）。図８に示す場合では、番組の録画が開始されなかった回数Ｎの初期値としてゼロ回と設定している。
【００７５】
録画判定部１３Ａは、予約終了時刻から所定時間が経過したと判断した場合には（７２）、さらに予約された番組の録画が開始されたか否かを判断する（７３）。図８に示す場合では、予約終了時刻から２時間経過したと判断された際に、予約録画が開始されたか否かを判断している。
【００７６】
このとき、録画判定部１３Ａによって録画が開始されていないと判断されると（７３）、カウント部１３Ｂは、予約された番組の録画が開始されなかった回数Ｎに１を加算する（７４）。カウント部１３Ｂによって予約された番組の録画が開始されなかった回数Ｎが更新されると、予約情報書換部１３Ｅは、番組予約記憶部１４の番組予約情報を書換える（７５）。
【００７７】
録画判定部１３Ａによって、予約された番組の録画が開始されなかったと判断されると（７３）、録画判定部１３Ａは、次に予約開始時刻から所定時間が経過したと判断されたとき（７２）に、予約された番組の録画が開始されたか否かを判断する（７３）。
【００７８】
予約情報書換部１３Ｅによって予約情報を書換えられると、録画予約表の表示要求を受信するまでは、録画判定部１３Ａは上記のように定期的に放送される予約番組の録画が開始されたか否かの判定を行う。
【００７９】
マイコン１３が、録画予約表の表示要求を受信すると（７６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約番組表をディスプレイ１９に表示させて（７７）、ユーザに最終回終了の可能性を告知する。
【００８０】
上記のように、定期的に放送される予約番組について、その予約終了時刻から所定時間経過したと判断された際に、予約された番組の録画が開始されたか否かを判断しても上述の第１実施形態に係る録画予約装置および録画予約方法と同様の効果を得ることができる。特に、本実施形態に係る録画予約装置および録画予約方法の場合、予約された番組の放送時間が遅くなった場合に有効である。
【００８１】
次に、本発明の第７実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【００８２】
本実施形態に係る録画予約装置では、録画判定部１３Ａは、設定された予約終了時刻から所定時間経過したと判断された際に、予約録画が終了したか否かを判定する。
【００８３】
すなわち、本実施形態に係る録画予約装置の動作は、図９に示すように、カウント部１３Ｂは、最初に、予約された番組の録画が終了されなかった回数Ｎの初期値を設定する（８１）。図９に示す場合では、予約された番組の録画が終了されなかった回数Ｎの初期値としてゼロ回と設定している。
【００８４】
録画判定部１３Ａは、予約終了時刻から所定時間が経過したと判断した場合には（８２）、さらに予約された録画が終了したか否かを判断する（８３）。図９に示す場合では、予約終了時刻から２時間経過した際に、予約録画が終了したか否かを判断している。
【００８５】
このとき、録画判定部１３Ａによって予約された番組の録画が終了されていないと判断されると（８３）、カウント部１３Ｂは、予約された番組の録画が終了されなかった回数Ｎに１を加算する（８４）。カウント部１３Ｂによって予約された番組の録画が終了されなかった回数Ｎの値が更新されると、予約情報書換部１３Ｅによって番組予約記憶部１４の予約情報が書換えられる（８５）。
【００８６】
録画判定部１３Ａによって予約された番組の録画が終了したと判断されると（８３）、録画判定部１３Ａは、次に予約録画が設定された予約終了時刻から所定時間経過したと判断されたときに（８２）、予約された番組の録画が終了したか否かを判断する（８３）。
【００８７】
予約情報書換部１３Ｅによって番組予約情報が書換えられると、録画予約表の表示要求を受信するまでは、録画判定部Ａは、上記のように定期的に放送される予約番組の録画が終了されたか否かの判定をおこなう。
【００８８】
マイコン１３が、録画予約表の表示要求を受信すると（８６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（８７）、ユーザに最終回終了の可能性を告知する。
【００８９】
上記のように、定期的に放送される予約番組について、その予約終了時刻から所定時間経過したと判断された際に、録画が終了したか否かを判断しても上述の第１実施形態に係る録画予約装置および録画予約方法と同様の効果を得ることができる。特に、本実施形態に係る録画予約装置および録画予約方法の場合、予約された番組の放送時間が遅くなった場合に有効である。
【００９０】
次に、本発明の第８実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【００９１】
本実施形態に係る録画予約装置では、録画判定部１３Ａは、設定された予約開始時刻の所定時間前が経過したと判断した際に、予約録画が開始された否かを判定する。
【００９２】
すなわち、本実施形態に係る録画予約装置の動作は、図１０に示すように、カウント部１３Ｂは、最初に、予約された番組の録画が開始されなかった回数Ｎの初期値を設定する（９１）。図１０に示す場合では、予約された番組の録画が開始されなかった回数Ｎの初期値としてゼロ回と設定している。
【００９３】
録画判定部１３Ｅは、予約開始時刻の所定時間前が経過したと判断した場合には（９２）、さらに予約された番組の録画が開始されたか否かを判断する（９３）。図１０に示す場合では、予約開始時刻の２時間前が経過したと判断された際に、予約録画が開始されたか否かを判断している。
【００９４】
このとき、録画判定部１３Ａによって予約された番組の録画が開始されていないと判断されると（９３）、カウント部１３Ｂは、その番組の録画が開始されなかった回数Ｎに１を加算する（９４）。カウント部１３Ｂによって番組の録画が開始されなかった回数Ｎの値が更新されると、予約情報書換部１３Ｅによって番組予約記憶部１４に記憶された番組予約情報が書換えられる（９５）。
【００９５】
録画判定部１３Ａによって予約された番組の録画が開始されたと判断されると（９３）、録画判定部１３Ａは、次に予約録画が設定された予約開始時刻の所定時間前が経過したと判断された際に（９２）、予約された番組の録画が開始されたか否かを判断する（９３）。
【００９６】
予約情報書換部１３Ｅによって番組予約情報が書換えられると、マイコン１３が録画予約番組表の表示要求を受信するまでは、録画判定部１３Ａは上記のように定期的に放送される予約番組の録画が開始されたか否かの判定をおこなう。
【００９７】
マイコン１３が、録画予約表の表示要求を受信すると（９６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（９７）、ユーザに最終回終了の可能性を告知する。
【００９８】
上記のように、定期的に放送される予約番組について、その予約開始時刻の所定時間前が経過したと判断された際に、予約された番組の録画が開始されたか否かを判断しても上述の第１実施形態に係る録画予約装置および録画予約方法と同様の効果を得ることができる。特に、本実施形態に係る録画予約装置および録画予約方法の場合、予約された番組の放送時間が早くなった場合に有効である。
【００９９】
次に、本発明の第９実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【０１００】
本実施形態に係る録画予約装置では、録画判定部１３Ａは、設定された予約開始時刻の所定時間前を経過したと判断された際に、予約録画が終了したか否かを判定する。
【０１０１】
すなわち、本実施形態に係る録画予約装置の動作は、図１１に示すように、カウント部１３Ｂは、最初に、予約された番組の録画が終了されなかった回数Ｎの初期値を設定する（１０１）。図１１に示す場合では、予約された番組の録画が終了されなかった回数Ｎの初期値としてゼロ回と設定している。
【０１０２】
録画判定部１３Ａは、予約開始時刻の所定時間前が経過したと判断した場合には（１０２）、さらに予約された録画が終了したか否かを判断する（１０３）。図１１に示す場合では、予約開始時刻の２時間前が経過したと判断された際に、予約録画が終了したか否かを判断している。
【０１０３】
このとき、録画判定部１３Ａによって録画が終了されていないと判断されると（１０３）、カウント部１３Ｂは、予約された番組の録画が終了されなかった回数に１を加算する（１０４）。カウント部１３Ｂによって予約された番組の録画が終了されなかった回数Ｎの値が更新されると、予約情報書換部１３Ｅによって番組予約記憶部１４に記憶された番組予約情報が書換えられる（１０５）。
【０１０４】
録画判定部１３Ａによって予約された番組の録画が終了したと判断されると（１０３）、録画判定部１３Ａは、次に予約開始時刻の所定時間前が経過したと判断された際に（１０２）、予約された番組の録画が終了したか否かを判断する（１０３）。
【０１０５】
予約情報書換部１３Ｅによって番組予約情報を書換えられると、マイコン１３が録画予約表の表示要求を受信するまでは、録画判定部１３Ａは上記のように定期的に放送される予約番組の録画が終了されたか否かの判定をおこなう。
【０１０６】
マイコン１３が、録画予約表の表示要求を受信すると（１０６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約番組表をディスプレイ１９に表示させて（１０７）、ユーザに最終回終了の可能性を告知する。
【０１０７】
上記のように、定期的に放送される予約番組について、その予約開始時刻の所定時間前が経過したと判断された際に、予約された番組の録画が終了されたか否かを判断しても上述の第１実施形態に係る録画予約装置および録画予約方法と同様の効果を得ることができる。特に、本実施形態に係る録画予約装置および録画予約方法の場合、予約された番組の放送時間が予定よりも早くなった場合に有効である。
【０１０８】
次に、本発明の第１０実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【０１０９】
本実施形態に係る録画予約装置では、録画判定部１３Ａは、設定された予約終了時刻の所定時間前を経過したと判断された際に、予約録画が開始されたか否かを判定する。
【０１１０】
すなわち、本実施形態に係る録画予約装置の動作は、図１２に示すように、カウント部１３Ｂは、最初に、予約された番組の録画が開始されなかった回数Ｎの初期値を設定する（１１１）。図１２に示す場合では、予約された番組の録画が終了されなかった回数Ｎの初期値としてゼロ回と設定している。
【０１１１】
録画判定部１３Ａは、予約終了時刻の所定時間前を経過したと判断した場合には（１１２）、さらに予約された番組の録画が開始されたか否かを判断する（１１３）。図１２に示す場合では、予約開始時刻の２時間前が経過したと判断された際に、予約録画が開始されたか否かを判断している。
【０１１２】
このとき、録画判定部１３Ａによって予約された番組の録画が開始されていないと判断されると（１１３）、カウント部１３Ｂは、予約された番組の録画が開始されなかった回数に１を加算する（１１４）。カウント部１３Ｂによって、予約された番組の録画が開始されなかった回数Ｎの値が更新されると、予約情報書換部１３Ｅによって番組予約記憶部１４に記憶された予約情報を書換えられる（１１５）。
【０１１３】
録画判定部１３Ａによって予約された番組の録画が開始されたと判断されると（１１３）、録画判定部１３Ａは、次に予約録画が設定された予約開始時刻の所定時間前を経過したと判断された際に（１１２）に、予約された番組の録画が開始されたか否かを判断する（１１３）。
【０１１４】
予約情報書換部１３Ｅによって番組予約情報が書換えられると、マイコン１３が録画予約番組表の表示要求を受信するまでは、録画判定部１３Ａは、上記のように定期的に放送される予約番組の録画が開始されたか否かの判定をおこなう。
【０１１５】
マイコン１３が、録画予約表の表示要求を受信すると（１１６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（１１７）、ユーザに最終回終了の可能性を告知する。
【０１１６】
上記のように、定期的に放送される予約番組について、その予約終了時刻の所定時間前を経過したと判断された際に、予約された番組の録画が開始されたか否かを判断しても上述の第１実施形態に係る録画予約装置および録画予約方法と同様の効果を得ることができる。
【０１１７】
次に、本発明の第１１実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【０１１８】
本実施形態に係る録画予約装置では、録画判定部１３Ａは、設定された予約終了時刻の所定時間前を経過したと判断された際に、予約録画が終了したか否かを判断する。
【０１１９】
すなわち、本実施形態に係る録画予約装置の動作は、図１３に示すように、カウント部１３Ｂは、最初に、予約された番組の録画が終了されなかった回数Ｎの初期値を設定する（１２１）。図１３に示す場合では、予約された番組の録画が終了されなかった回数Ｎの初期値としてゼロ回と設定している。
【０１２０】
録画判定部１３Ａは、予約終了時刻の所定時間前を経過したと判断した場合には（１２２）、さらに予約された番組の録画が終了したか否かを判断する（１２３）。図１３に示す場合では、予約終了時刻の２時間前の時点を経過したと判断された際に、予約録画が終了したか否かを判断している。
【０１２１】
このとき、録画判定部１３Ａによって予約された番組の録画が終了されていないと判断されると（１２３）、カウント部１３Ｂは、予約された番組の録画が終了されなかった回数Ｎに１を加算する（１２４）。カウント部１３Ｂによって予約された番組の録画が終了されなかった回数Ｎの値が更新されると、予約情報書換部１３Ｅによって番組予約記憶部１４に記憶された番組予約情報が書換えられる（１２５）。
【０１２２】
録画判定部１３Ａによって、予約された番組の録画が終了したと判断されると（１２３）、次に予約録画が設定された予約開始時刻の所定時間前の時点を経過したと判断された際に（１２２）、予約された録画が終了したか否かを判断する（１２３）。
【０１２３】
予約情報書換部１３Ｅによって番組予約情報が書換えられると、マイコン１３が録画予約番組表の表示要求を受信するまでは、録画判定部１３Ａは上記のように定期的に放送される予約番組の録画が終了されたか否かの判定をおこなう。
【０１２４】
マイコン１３が、録画予約表の表示要求を受信すると（１２６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（１２７）、ユーザに最終回終了の可能性を告知する。
【０１２５】
上記のように、定期的に放送される予約番組について、その予約終了時刻の所定時間前が経過したと判断された際に、予約された番組の録画が終了されたか否かを判断しても、上述の第１実施形態に係る録画予約装置および録画予約方法と同様の効果を得ることができる。
【０１２６】
次に、本発明の第１２実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【０１２７】
本実施形態に係る録画予約装置では、録画判定部１３Ａは、設定された予約開始時刻が経過したと判断した際に、予約録画が開始されたか否かを判断する。
【０１２８】
すなわち、本実施形態に係る録画予約装置の動作は、図１４に示すように、カウント部１３Ｂは、最初に、予約された番組の録画が開始されなかった回数Ｎの初期値を設定する（１３１）。図１４に示す場合では、予約された番組の録画が開始されなかった回数Ｎの初期値としてゼロ回と設定している。
【０１２９】
録画判定部１３Ａは、予約開始時刻が経過したと判断した場合には（１３２）、さらに予約された番組の録画が開始されたか否かを判断する（１３３）。このとき、録画判定部１３Ａによって予約録画が開始されていないと判断されると（１３３）、カウント部１３Ｂは、予約された番組の録画が開始されなかった回数Ｎに１を加算する（１３４）。カウント部１３Ｂによって予約された番組の録画が開始されなかった回数Ｎの値が更新されると、予約情報書換部１３Ｅによって番組予約記憶部１４に記憶された番組予約情報が書換えられる（１４５）。
【０１３０】
録画判定部１３Ａによって予約された番組の録画が開始されたと判断されると（１３３）、録画判定部１３Ａは、次に予約開始時刻が経過したと判断された際に（１３２）、予約された番組の録画が開始されたか否かを判断する（１３３）。
【０１３１】
予約情報書換部１３Ｅによって番組予約情報が書換えられると、マイコン１３が録画予約番組表の表示要求を受信するまでは、録画判定部１３Ａは上記のように定期的に放送される予約番組の録画が開始されたか否かの判定をおこなう。
【０１３２】
マイコン１３が、録画予約表の表示要求を受信すると（１３６）、表示制御部１３ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（１３７）、ユーザに最終回終了の可能性を告知する。
【０１３３】
上記のように、定期的に放送される予約番組について、その予約開始時刻が経過したと判断された際に、予約された番組の録画が開始されたか否かを判断しても上述の第１実施形態に係る録画予約装置および録画予約方法と同様の効果を得ることができる。
【０１３４】
次に、本発明の第１３実施形態に係る録画予約装置および録画予約方法について図面を参照して以下に説明する。本実施形態に係る録画予約装置のマイコン１３は、上述の第３実施形態に係る録画予約装置と同様に予約情報書換部１３Ｅを有している。
【０１３５】
本実施形態に係る録画予約装置では、録画判定部１３Ａは、設定された予約終了時刻を経過したと判断された際に、予約録画が終了したか否かを判定する。
【０１３６】
すなわち、本実施形態に係る録画予約装置の動作は、図１５に示すように、カウント部１３Ｂは、最初に、予約された番組の録画が終了されなかった回数Ｎの初期値を設定する（１４１）。図１５に示す場合では、予約された番組の録画が終了されなかった回数Ｎの初期値としてゼロ回と設定している。
【０１３７】
録画判定部１３Ａは、予約終了時刻が経過したと判断した場合には（１４２）、さらに予約された番組の録画が終了したか否かを判断する（１４３）。このとき、録画判定部１３Ａによって録画が終了されなかったと判断されると（１４３）、カウント部１３Ｂは、予約された番組の録画が終了されなかった回数Ｎに１を加算する（１４４）。カウント部１３Ｂによって予約された番組の録画が終了されなかった回数Ｎの値が更新されると、予約情報書換部１３Ｅによって番組予約記憶部１４に記憶された番組予約情報が書換えられる（１４５）。
【０１３８】
録画判定部１３Ａによって予約された番組の録画が終了したと判断されると（１４３）、録画判定部１３Ａは、次に予約終了時刻を経過したと判断された際に（１４２）、予約された録画が終了したか否かを判断する（１４３）。
【０１３９】
予約情報書換部１３Ｅによって番組予約情報が書換えられると、マイコン１３が録画予約表の表示要求を受信するまでは、録画判定部１３Ａは上記のように定期的に放送される予約番組の録画が終了されたか否かの判定をおこなう。
【０１４０】
マイコン１３が、録画予約表の表示要求を受信すると（１４６）、表示制御部１３
ＣはＯＳＤ生成部１５を制御して、番組予約記憶部１４に記憶された番組予約情報をもとにＯＳＤ情報を作成させ、例えば、図１７乃至図１９に示すような録画予約表をディスプレイ１９に表示させて（１４７）、ユーザに最終回終了の可能性を告知する。
【０１４１】
上記のように、定期的に放送される予約番組について、その予約終了時刻が経過したと判断された際に、録画が終了されたか否かを判断しても上述の第１実施形態に係る録画予約装置および録画予約方法と同様の効果を得ることができる。
【０１４２】
なお、この発明は、上記実施形態そのままに限定されるものではなく、実施段階ではその要旨を逸脱しない範囲で構成要素を変形して具体化できる。例えば、上記の録画予約装置はディスプレイ１９を有していたが、外部に接続されたディスプレイに最終回終了の可能性を告知する表示をさせても良い。その場合であっても、上述の録画予約装置と同様の効果を得ることができる。
【０１４３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。例えば、上記の第３乃至第１３実施形態に係る録画予約装置の構成は同様であるため、これらの複数の実施形態に係る録画予約方法からいくつかを組み合わせて採用することによって、録画がされたか否かの判定をより適格に行うことが可能となる。
【図面の簡単な説明】
【０１４４】
【図１】本発明の第１実施形態に係る予約録画装置の構成例を概略的に示す図。
【図２】本発明の第１実施形態に係る予約録画装置の動作の一例を説明するための図。
【図３】本発明の第２実施形態に係る予約録画装置の動作の他の例を説明するための図。
【図４】本発明の第３実施形態に係る予約録画装置の構成例を概略的に示す図。
【図５】本発明の第３実施形態に係る予約録画装置の動作の一例を説明するための図。
【図６】本発明の第４実施形態に係る予約録画装置の動作の一例を説明するための図。
【図７】本発明の第５実施形態に係る予約録画装置の動作の一例を説明するための図。
【図８】本発明の第６実施形態に係る予約録画装置の動作の一例を説明するための図。
【図９】本発明の第７実施形態に係る予約録画装置の動作の一例を説明するための図。
【図１０】本発明の第８実施形態に係る予約録画装置の動作の一例を説明するための図。
【図１１】本発明の第９実施形態に係る予約録画装置の動作の一例を説明するための図。
【図１２】本発明の第１０実施形態に係る予約録画装置の動作の一例を説明するための図。
【図１３】本発明の第１１実施形態に係る予約録画装置の動作の一例を説明するための図。
【図１４】本発明の第１２実施形態に係る予約録画装置の動作の一例を説明するための図。
【図１５】本発明の第１３実施形態に係る予約録画装置の動作の一例を説明するための図。
【図１６】従来の予約録画装置における録画予約表の一表示例を示す図。
【図１７】本発明の実施形態に係る予約録画装置における録画予約表の第１表示例を示す図。
【図１８】本発明の実施形態に係る予約録画装置における録画予約表の第２表示例を示す図。
【図１９】本発明の実施形態に係る予約録画装置における録画予約表の第３表示例を示す図。
【図２０】本発明の第１実施形態に係る予約録画装置の他の構成例を概略的に示す図。
【符号の説明】
【０１４５】
１３…制御手段（マイコン）、１６…受信手段（チューナ）、１４…番組予約記憶手段、１３Ａ…録画判定手段、１３Ｂ…カウント手段、１３Ｃ…表示制御手段
【図１】
2008278254.tif 000003
【図２】
2008278254.tif 000004
【図３】
2008278254.tif 000005
【図４】
2008278254.tif 000006
【図５】
2008278254.tif 000007
【図６】
2008278254.tif 000008
【図７】
2008278254.tif 000009
【図８】
2008278254.tif 000010
【図９】
2008278254.tif 000011
【図１０】
2008278254.tif 000012
【図１１】
2008278254.tif 000013
【図１２】
2008278254.tif 000014
【図１３】
2008278254.tif 000015
【図１４】
2008278254.tif 000016
【図１５】
2008278254.tif 000017
【図１６】
2008278254.tif 000018
【図１７】
2008278254.tif 000019
【図１８】
2008278254.tif 000020
【図１９】
2008278254.tif 000021
【図２０】
2008278254.tif 000022